(57)【要約】      （修正有）【解決手段】蒸気発生手段と加熱手段とを備え、蒸気発生手段から飽和水蒸気を前記加熱手段に噴霧し、加熱水蒸気を発生させるように加湿装置である。【効果】蒸気発生手段からの飽和水蒸気の粒子は、加熱手段に衝突した際に加熱されるとともに微粒化し、加熱水蒸気として放散される。この加湿装置を使用すれば、クリアーで且つ高温な加熱水蒸気を発生させることができる結果、別途にエアコン等の加熱手段を用いることなく、クリアーな視界で中低温の室内環境を作ることができる。加熱手段として電気ヒーターを使用すれば、発生する加熱水蒸気の温度調整がしやすい。又、ガス遠赤外線ヒーターを使用すれば、加熱手段の温度の立ち上がりが速いとともに維持経費を低額化させることができる。【選択図】図１
0003125195.tif 000002
【実用新案登録請求の範囲】
【請求項１】
蒸気発生手段と加熱手段とを備え、蒸気発生手段から飽和水蒸気を前記加熱手段に噴霧し、加熱水蒸気を発生させることを特徴とする加湿装置。
【請求項２】
請求項１の加湿装置において、前記加熱手段が電気ヒーターであることを特徴とする加湿装置。
【請求項３】
請求項１の加湿装置において、前記加熱手段がガス遠赤外線ヒーターであることを特徴とする加湿装置。
【請求項４】
請求項１の加湿装置において、コントロール部を備え、このコントロール部によって前記加湿水蒸気の温度を調節可能としたことを特徴とする加湿装置。
【請求項５】
請求項１の加湿装置において、コントロール部を備え、このコントロール部によって前記加湿水蒸気の湿度を調節可能としたことを特徴とする加湿装置。
【考案の詳細な説明】
【技術分野】
【０００１】
この考案は加湿装置に関し、岩盤浴室や低温サウナ室、又は、部屋を短時間に温める際に使用されるものである。
【背景技術】
【０００２】
従来において、低温サウナ室を加湿する場合には、加湿器によって水蒸気を噴霧し、室内を加湿状態にしていた。
また、床暖房の床面に水を撒いて水蒸気を発生させ、室内を加湿状態にしていた。
【０００３】
【特許文献１】特開２００６−０８４０６９号公報
【特許文献２】特開２００５−３２１１１６号公報
【考案の開示】
【考案が解決しようとする課題】
【０００４】
しかしながら、前者にあっては、水道水を加熱することによって水蒸気にしているため、室内が水蒸気によって白濁になり、視界が不鮮明になるとともに水蒸気の温度を上昇させにくくいため、なんらかの加熱手段によって室内温度を上昇させなければならないという不都合を有した。
また、後者にあっても、水蒸気の温度を高温度にさせにくいため、なんらかの加熱手段によって室内温度を上昇させなければならないという不都合を有した。
【０００５】
この考案の課題はこれらの不都合を解消することである。
【課題を解決するための手段】
【０００６】
前記課題を達成するために、この考案に係る加湿装置においては、蒸気発生手段と加熱手段とを備え、蒸気発生手段から飽和水蒸気を前記加熱手段に噴霧し、加熱水蒸気を発生させるようにしたものである。
【０００７】
なお、前記加熱手段として電気ヒーターを使用することができる。
【０００８】
また、前記加熱手段としてガス遠赤外線ヒーターを使用することができる。
【０００９】
また、前記加湿装置にコントロール部を設け、このコントロール部によって前記加湿水蒸気の温度を調節可能とすることもできる。
【００１０】
また、前記コントロール部によって前記加湿水蒸気の湿度を調節可能とすることもできる。
【考案の効果】
【００１１】
この考案に係る加湿装置においては、蒸気発生手段と加熱手段とを備え、蒸気発生手段から飽和水蒸気を前記加熱手段に噴霧し、加熱水蒸気を発生させるようにしたため、蒸気発生手段からの飽和水蒸気の粒子は、加熱手段に衝突した際に加熱されるとともに微粒化し、加熱水蒸気として放散されるものである。
【００１２】
このため、この加湿装置を使用すれば、クリアーで且つ高温な加熱水蒸気を発生させることができるため、別途にエアコン等の加熱手段を用いることなく、クリアーな視界で中低温の室内環境を作ることができる。
【００１３】
なお、前記加熱手段として電気ヒーターを使用すれば、発生する加熱水蒸気の温度調整がしやすいものである。
【００１４】
また、前記加熱手段としてガス遠赤外線ヒーターを使用すれば、加熱手段の温度の立ち上がりが速いとともに維持経費を低額化させることができる。
【００１５】
また、この加湿装置にコントロール部を設け、このコントロール部によって前記加湿水蒸気の温度を調節可能にすれば、要望に応じた温度の室内環境を設定することができる。
【００１６】
また、前記コントロール部によって前記加湿水蒸気の湿度を調節可能とすれば、要望に応じた湿度の室内環境を設定することができる。
【考案を実施するための最良の形態】
【００１７】
本考案に係る加湿装置は、蒸気発生手段から飽和水蒸気を前記加熱手段に噴霧し、加熱水蒸気を発生させるところに最も主要な特徴を有する。
【実施例１】
【００１８】
以下、この考案の実施例を説明する。
【００１９】
図１はこの考案に係る加湿装置の説明図、図２はこの加湿装置を使用したサウナ室の平面図、図３は同正面図である。
【００２０】
図２及び図３において、10はサウナ室、11はその扉である。12,12,…は床暖房装置であり、前記サウナ室10の床面に設置されている。この床暖房装置12には電気ヒーター，温水等の熱源を使用した、所謂、従来から存在する加熱装置が該当する。                      
【００２１】
20はこの考案に係る加湿装置であり、前記サウナ室10の床面に設置されている。この加湿装置20によって、加熱水蒸気（３００°Ｃ位）を発生され、このサウナ室10内は中低温（４０〜６０°Ｃ）で高湿状態（湿度５０〜８０パーセント) な雰囲気になる。
【００２２】
次に、図１に基づいて、この加湿装置20について詳述する。
【００２３】
図において、21は加湿装置20の枠体であり、略筒状に形成されている。この枠体21内には加熱手段Ｈが設置されている。この加熱手段Ｈとして、電気ヒーター，ガス遠赤外線ヒーター，その他、従来存在する加熱手段を使用することができる。
【００２４】
30は蒸気発生手段であり、前記サウナ室10外に設置されている。この蒸気発生手段30は通常の方法によって湿度１００パーセントの水蒸気を発生させる装置である。31は蒸気パイプであり、前記蒸気発生手段30から前記サウナ室10に侵入し、その先端は前記加湿装置20の枠体21の底部まで延びている。この蒸気パイプ31は前記蒸気発生手段30によって発生した湿度１００パーセントの飽和水蒸気を加圧した状態で前記加湿装置20に送るためのものである。
【００２５】
また、32,32,…は噴出孔（ノズルでもよい）であり、前記蒸気パイプ31の先端部に設置されている。この噴出孔（ノズル）32,32,…は前記枠体31内に位置しており、飽和水蒸気を前記加熱手段Ｈに向かって噴霧する。この飽和水蒸気の粒子は、加熱手段30に衝突した際に加熱（３００°Ｃ位）されるとともに微粒化し、クリアーで且つ高温な加熱水蒸気（湿度５０〜８０パーセント) としてサウナ石Ｓの間を上昇し、放散され、このサウナ室10内の温度を上昇させる（４０〜６０°Ｃ）とともに湿度を上昇させる（湿度５０〜８０パーセント) 。
【００２６】
なお、Ｃはコントロール部であり、サウナ室10内の温度，湿度を調節するためのものである。このコントロール部Ｃは温度センサー51又は／及び湿度センサー52からの信号を受け、フィードバック式で前記加熱手段Ｈ又は／及び蒸気発生手段30を制御して設定した値に近づけていくものである。
【００２７】
この場合、前記加熱手段30として、電気ヒーターを使用すれば、電気的に制御することができるため加熱水蒸気の温度調整がしやすいものである。
【００２８】
また、前記加熱手段としてガス遠赤外線ヒーターを使用すれば、加熱手段の温度の立ち上がりが速いとともに維持経費を低額化させることができる。
【００２９】
上記実施例は、サウナ室に設置した場合について説明したが、他に岩盤浴室，採暖室等如何なる場合にも使用することができる。
【産業上の利用可能性】
【００３０】
別途にエアコン等の加熱手段を用いることなく、クリアーな視界で中低温の室内環境を作ることができるため、岩盤浴室や低温サウナ室、又は、部屋を短時間に温める際の加湿装置として利用できる。
【図面の簡単な説明】
【００３１】
【図１】図１はこの考案に係る加湿装置の説明図である。
【図２】図２はこの加湿装置を使用したサウナ室の平面図である。
【図３】図３は同正面図である。
【符号の説明】
【００３２】
Ｃ  …  コントロール部
Ｈ  …  加熱手段
Ｓ  …  サウナ石
10  …  サウナ室
11  …  扉
12  …  床暖房装置
20  …  加湿装置
21  …  枠体（加湿装置の）
30  …  蒸気発生手段
31  …  蒸気パイプ
32  …  噴出孔（ノズル）
51  …  温度センサー
52  …  湿度センサー
【図１】
0003125195.tif 000003
【図２】
0003125195.tif 000004
【図３】
0003125195.tif 000005